(57)【要約】      （修正有）【課題】自然な音質で健常者により近い音質になり、激しい運動や作業にも脱落しない分離型補聴器の耳かけ本体を提供する。【解決手段】分離型補聴器の耳かけ本体１に前マイクロホン２と後マイクロホン３及び増幅器４のみとしその分離型補聴器の耳かけ本体１の断面が円形状で細長く軽量な耳にフィットする形状で、この増幅器４部分に周波数出力制御装置などの制御対象となる各種被制御装置を制御できる各被制御装置別リンク形ダイヤル５を設ける。その結果、激しい運動や作業に耐え、共鳴も起こりにくくなった。【選択図】図２
0003198618.tif 000002
【実用新案登録請求の範囲】
【請求項１】
分離型補聴器の耳かけ本体（１）を前マイクロホン（２）と後マイクロホン（３）及び増幅器（４）のみとし丸型で細長く軽量な耳にフィットする形状で、この増幅器（４）部分に周波数出力制限装置などを制御できる各機能別にリンク形ダイヤル（５）を設けた補聴器の耳かけ本体（１）。
【請求項２】
耳かけ本体を角型で細長くした請求項１の補聴器の耳かけ本体（１）。
【考案の詳細な説明】
【技術分野】
【０００１】  本考案は、分離型補聴器の耳かけ本体を細長い丸形又は細長い角形にする。そして各機能別に制御するリンク形ダイヤルを設ける。その耳かけ本体にマイクロホンと増幅器（アンプ）を内蔵する。【０００２】  耳穴（耳栓）本体にはイヤホン（スピーカ）と空気電池を内蔵する。
【背景技術】
【０００３】  分離型補聴器は耳かけ本体にすべての機能が集中している。そのために、本体が重く激しい運動や労働には適さない。【０００４】  また、ほとんどの補聴器は耳穴型を含め、スピーカとマイクロホンが共振しやすい一体型になっている。【０００５】  常に必要とする音量制御ダイヤル等のダイヤルが小さすぎる。
【先行技術文献】
【特許文献】
【０００６】
【特許文献１】特開２０１３−１５７７９１
【０００７】
【特許文献２】特開２０１１−９８８６
【考案の概要】
【考案が解決しようとする課題】
【０００８】  以上に述べた従来の分離型補聴器では、耳かけ本体に補聴器全ての機能を一体化している補聴器が多い。そのために重量が重くそして大きい。また、共振も起こりやすく、耳穴型と比べほとんど変わらない。【０００９】  本考案は、分離型補聴器の特徴を生かすために共振しやすいスピーカとマイクロホンを分離する。【００１０】  この耳掛け本体を細く軽量に耳から脱落しないような形状にする。
【課題を解決する手段】
【００１１】  そして、本考案は上記の目的を達成するためにマイクロホンと増幅器（アンプ）を耳掛け本体に設ける。耳穴本体にイヤホン（スピーカ）と空気電池を設ける。マイクロホンとイヤホンを分離して共鳴を起こさないようにする。
【００１２】  耳掛け本体を細く長くする。この長くした本体を軸にして横に回すリンク形ダイヤルを設ける。そのリンク形ダイヤルは、周波数出力を補正した出力制御装置ダイヤル・音量調節ダイヤルなどの各機能別に必要に応じ設ける。
【考案の効果】
【００１３】  マイクロホンとイヤホンを分離型にすることにより、補聴器特有の共鳴はポケット型より減少する。したがって、本考案の分離型補聴器はより自然な音質で健常者により近い音質になる。
【００１４】  耳掛け本体が細く軽量化し耳にフィットさせることにより、激しい運動や労働にも使用できる。よって、耳掛け型の耳から外れやすい問題点を解消できた。
【００１５】  リンク形ダイヤルを横に回転することで工具を使わないで指先で調節できる。
【図面の簡単な説明】
【００１６】
【図１】本考案の実施形態を示す補聴器の右耳用背面図
【図２】同右耳用左側面図
【考案を実施するための形態】
【００１７】  以下、本考案の実施の形態を図１〜２図に基づいて説明する。
【００１８】  図においては、１耳掛け本体にマイクロホン（２前マイクロホンと３後マイクロホン）と９イヤホン（スピーカ）との共鳴が起こりにくいようにした。１耳かけ本体の上側に２前マイクロホン３後マイクロホンを設けた。９イヤホン内のスピーカは６耳穴本体の耳穴内に位置するように設けた。９イヤホンの１０イヤチップは使用者の耳に穴に合ったサイズを準備した。
【００１９】  また、１耳かけ本体を激しい運動や激しい作業中に脱落しないように軽量化と細長くして耳にフィットするようにした。この１耳かけ本体に４増幅器部分（アンプ）を内蔵し５各機能別リンク形ダイヤルを指先で回転切り替え出来る。
【００２０】  ５各機能別リンク形ダイヤルは周波数出力を補正した出力制限装置ダイヤル・音質調整装置ダイヤル・騒音制御装置と誘導コイル切り替えダイヤル・音量調節などの機能をそれぞれの各ダイヤルに持たせた。
【００２１】  更に、補聴器を付けた使用者が発生音源の方向が判るように１前マイクロホンと２後マイクロホンを設けた。
【００２２】  ６耳穴本体に、７電源スイッチおよび８空気電池・９イヤホン（マイクロホン）１０イヤチプを外側から順に設けた。以上のように、実施形態によれば、マイクロホンとスピーカとの共鳴が起こりにくい。耳掛け本体を軽量にして細長く耳にフィットすることで、激しい運動や労働に耐える。更にイヤホンのイヤチップを使用者の耳穴サイズに合わせて使用するとはずれない等の効果が得られるものである。
【符号の説明】
【００２３】１  耳かけ本体
２  前マイクロホン
３  後マイクロホン
４  増幅器部分（アンプ）
５  各機能別リンク形ダイヤル
６  耳穴本体
７  電源スイッチ
８  空気電池
９  イヤホン（マイクロホン）
１０イヤチップ
【図１】
0003198618.tif 000003
【図２】
0003198618.tif 000004
【手続補正書】
【提出日】平成26年9月17日(2014.9.17)
【手続補正２】
【補正対象書類名】明細書
【補正対象項目名】０００１
【補正方法】変更
【補正の内容】
【０００１】  本考案は、分離型補聴器の耳かけ本体を細長く断面が円形又は最大制御チャンネル数と同じ角数の断面を正多角形にする。そして各機能別に制御するリンク形ダイヤルを設ける。その耳かけ本体にマイクロホンと増幅器（アンプ）を内蔵する。
【手続補正３】
【補正対象書類名】明細書
【補正対象項目名】０００５
【補正方法】変更
【補正の内容】
【０００５】操作が常に必要とする音量制御ダイヤルのダイヤルが小さすぎる。
マイクロホンの数が一個と少ないものが多く音源の方向性に欠ける。
【手続補正４】
【補正対象書類名】明細書
【補正対象項目名】００１２
【補正方法】変更
【補正の内容】
【００１２】  分離型補聴器の耳掛け本体を細く長くする。この長くした本体を軸にして横に回すリンク形ダイヤルを設ける。そのリンク形ダイヤルは、周波数出力を補正した出力制御装置ダイヤル・音量調節ダイヤルなどの各種被制御装置別に必要に応じ設ける。
また、前マイクロホンと後マイクロホンを付けることで指向性が向上し音源が判り易いようになる。
【手続補正５】
【補正対象書類名】明細書
【補正対象項目名】００１７
【補正方法】変更
【補正の内容】
【００１７】      以下、本考案の実施形態を図１〜図２に基づいて説明する。
【手続補正６】
【補正対象書類名】明細書
【補正対象項目名】００１８
【補正方法】変更
【補正の内容】
【００１８】  図においては、分離型補聴器の耳掛け本体１にマイクロホン（前マイクロホン２と後マイクロホン３）と分離型補聴器の耳穴本体のイヤホン９（スピーカ）との共鳴が起こりにくいようにした。分離型補聴器の耳かけ本体１の上前側に前マイクロホン２と後ろに後マイクロホン３を設けた。イヤホン９内のスピーカは分離型補聴器の耳穴本体６の耳穴内に位置するように設けた。イヤホン９のイヤチップ１０は使用者の耳に穴に合ったサイズを準備した。
【手続補正７】
【補正対象書類名】明細書
【補正対象項目名】００１９
【補正方法】変更
【補正の内容】
【００１９】  また、分離型補聴器の耳かけ本体１を激しい運動や激しい作業中に脱落しないように軽量化と細長くして耳にフィットするようにした。この分離型補聴器の耳かけ本体１に増幅器部分４（アンプ）を内蔵し各被制御装置別リンク形ダイヤル５を指先で回転切り替え出来る。
【手続補正８】
【補正対象書類名】明細書
【補正対象項目名】００２０
【補正方法】変更
【補正の内容】
【００２０】  各被制御装置別リンク形ダイヤル５は周波数出力を補正した出力制御装置ダイヤル・音質調整装置ダイヤル・騒音制御装置と誘導コイル切り替えダイヤル・音量調節などの機能をそれぞれの各ダイヤルに持たせた。
それぞれのダイヤルの誤操作を少なく、調節し易いように多角形のものも考案した。
【手続補正９】
【補正対象書類名】明細書
【補正対象項目名】００２１
【補正方法】変更
【補正の内容】
【００２１】  更に、補聴器を付けた使用者が発生音源の方向が判るように前マイクロホン２と後マイクロホン３を設けた。
【手続補正１０】
【補正対象書類名】明細書
【補正対象項目名】００２２
【補正方法】変更
【補正の内容】
【００２２】  分離型補聴器の耳穴本体６に、電源スイッチ７および空気電池８・イヤホン９（スピーカ）・イヤチップ１０を外側から順に設けた。以上のように、実施形態にすれば、マイクロホンとスピーカとの共鳴が起こりにくい。分離型補聴器の耳掛け本体を軽量にして細長く耳にフィットすることで、激しい運動や労働に耐える。更にイヤホンのイヤチップを使用者の耳穴サイズに合わせて使用するとはずれない効果が得られるものである。
【手続補正１１】
【補正対象書類名】明細書
【補正対象項目名】００２３
【補正方法】変更
【補正の内容】
【００２３】１  分離型補聴器の耳かけ本体
２  前マイクロホン
３  後マイクロホン
４  増幅器部分（アンプ）
５  各被制御装置別リンク形ダイヤル
６  分離型補聴器の耳穴本体
７  電源スイッチ
８  空気電池
９  イヤホン（スピーカ）
１０イヤチップ
【手続補正１２】
【補正対象書類名】実用新案登録請求の範囲
【補正対象項目名】全文
【補正方法】変更
【補正の内容】
【実用新案登録請求の範囲】
【請求項１】
分離型補聴器の耳かけ本体（１）にマイクロホン（２）（３）及び増幅器（４）のみとしその分離型補聴器の耳かけ本体（１）の断面が円形状で細長く軽量な耳にフィットする形状で、この増幅器（４）部分に周波数出力制限装置などを制御できる各被制御装置別リンク形ダイヤル（５）を設けた分離型補聴器の耳かけ本体（１）。
【請求項２】
分離型補聴器の耳かけ本体（１）にマイクロホン（２）（３）及び増幅器（４）のみとしその分離型補聴器の耳かけ本体（１）の断面が正多角形で細長く軽量な耳にフィットする形状で、この増幅器（４）部分に周波数出力制限装置などを制御できる各被制御装置別リンク形ダイヤル（５）を設けた分離型補聴器の耳かけ本体（１）。
【手続補正書】
【提出日】平成27年1月5日(2015.1.5)
【手続補正１】
【補正対象書類名】明細書
【補正対象項目名】００１８
【補正方法】変更
【補正の内容】
【００１８】  図においては、分離型補聴器の耳掛け本体１にマイクロホン（前マイクロホン２と後マイクロホン３）と分離型補聴器の耳穴本体６のイヤホン９（スピーカ）との共鳴が起こり難いようにした。分離型補聴器の耳掛け本体１の上前側に前マイクロホン２と後ろに後マイクロホン３を設けた。イヤホン９内のスピーカは分離型補聴器の耳穴本体６の耳穴に位置するように設けた。イヤホン９のイヤチップ１０は使用者の耳穴に合ったサイズを準備した。
【手続補正２】
【補正対象書類名】明細書
【補正対象項目名】００２０
【補正方法】変更
【補正の内容】
【００２０】  各被制御装置別リンク形ダイヤル５は周波数出力を補正した出力制御装置ダイヤル・音質調整装置ダイヤル・騒音制御装置と誘導コイル切り替えダイヤル・音量調節ダイヤルにそれぞれの機能を持たせた。それぞれのダイヤルの誤操作を少なく、制御しやすい多角形のものも考案した。
【手続補正３】
【補正対象書類名】実用新案登録請求の範囲
【補正対象項目名】全文
【補正方法】変更
【補正の内容】
【実用新案登録請求の範囲】
【請求項１】
分離型補聴器の耳掛け本体（１）にマイクロホン（２）（３）及び増幅器（４）のみとしその分離型補聴器の耳掛け本体（１）の断面が円形状で細長く軽量な耳にフィットする形状で、この増幅器（４）部分に周波数出力制御装置などを制御できる各被制御装置別リンク形ダイヤル（５）を設けた分離型補聴器の耳掛け本体（１）。
【請求項２】
分離型補聴器の耳掛け本体（１）にマイクロホン（２）（３）及び増幅器（４）のみとしその分離型補聴器の耳掛け本体（１）の断面が正多角形状で細長く軽量な耳にフィットする形状で、この増幅器（４）部分に周波数出力制御装置などを制御できる各被制御装置別リンク形ダイヤル（５）を設けた分離型補聴器の耳掛け本体（１）。
【請求項３】
分離型補聴器の耳掛け本体（１）に前マイクロホン（２）と後マイクロホン（３）を付けることで、指向性を高め音源の方向が判る性能を持つ請求項１に記載した分離型補聴器の耳掛け本体（１）
【請求項４】
分離型補聴器の耳掛け本体（１）の各被制御装置別リンク形ダイヤル（５）に周波数出力補正制御装置ダイヤル・音質調整装置ダイヤル・騒音制御装置と誘導コイル切り替えダイヤル・音量調節ダイヤルにそれぞれ毎機能を持たせた分離型補聴器の耳掛け本体（１）。
【手続補正書】
【提出日】平成27年4月21日(2015.4.21)
【手続補正１】
【補正対象書類名】実用新案登録請求の範囲
【補正対象項目名】全文
【補正方法】変更
【補正の内容】
【実用新案登録請求の範囲】
【請求項１】
分離型補聴器の耳かけ本体（１）に前マイクロホン（２）と後マイクロホン（３）及び増幅器（４）のみとしその分離型補聴器の耳かけ本体（１）の断面が円形状で細長く軽量な耳にフィットする形状で、この増幅器（４）部分に周波数出力制御装置などの制御対象となる各種被制御装置を制御できる各被制御装置別リンク形ダイヤル（５）を設けた分離型補聴器の耳かけ本体（１）。
【請求項２】
分離型補聴器の耳かけ本体（１）に前マイクロホン（２）と後マイクロホン（３）及び増幅器（４）のみとしその分離型補聴器の耳かけ本体（１）の断面が正多角形で細長く軽量な耳にフィットする形状で、この増幅器（４）部分に周波数出力制御装置などの制御対象となる各種被制御装置を制御できる各被制御装置別リンク形ダイヤル（５）を設けた分離型補聴器の耳かけ本体（１）。
【手続補正３】
【補正対象書類名】明細書
【補正対象項目名】０００１
【補正方法】変更
【補正の内容】
【０００１】本考案は、分離型補聴器の耳かけ本体を細長く断面が円形又は最大制御チャンネル数と同じ角数の断面が正多角形にする。そして各機能別に制御するリンク形ダイヤルを設ける。その耳かけ本体にマイクロホンと増幅器（アンプ）を内蔵する。
【手続補正４】
【補正対象書類名】明細書
【補正対象項目名】０００５
【補正方法】変更
【補正の内容】
【０００５】操作が常に必要とする音量調節ダイヤルのダイヤルが小さすぎる。
マイクロホンの数が一個と少ないものが多く音源の方向性に欠ける。
【手続補正５】
【補正対象書類名】明細書
【補正対象項目名】００１２
【補正方法】変更
【補正の内容】
【００１２】  分離型補聴器の耳掛け本体を細く長くする。この長くした本体を軸にして横に回すリンク形ダイヤルを設ける。そのリンク形ダイヤルは、周波数出力を補正した出力制御装置ダイヤル・音量調節ダイヤルなどの各種被制御装置別に必要に応じ設ける。
また、前マイクロホンと後マイクロホンを付けることで指向性が向上し音源が判り易ようになる。
【手続補正６】
【補正対象書類名】明細書
【補正対象項目名】００１７
【補正方法】変更
【補正の内容】
【００１７】      以下、本考案の実施形態を図１〜図２に基づいて説明する。
【手続補正７】
【補正対象書類名】明細書
【補正対象項目名】００１８
【補正方法】変更
【補正の内容】
【００１８】  図においては、分離型補聴器の耳掛け本体１にマイクロホン（前マイクロホン２と後マイクロホン３）と分離型補聴器の耳穴本体６のイヤホン９（スピーカ）との共鳴が起こりにくいようにした。分離型補聴器の耳かけ本体１の上前側に前マイクロホン２と後ろに後マイクロホン３を設けた。イヤホン９内のスピーカは分離型補聴器の耳穴本体６の耳穴内に位置するように設けた。イヤホン９のイヤチップ１０は使用者の耳穴に合ったサイズを準備した。
【手続補正８】
【補正対象書類名】明細書
【補正対象項目名】００１９
【補正方法】変更
【補正の内容】
【００１９】  また、分離型補聴器の耳かけ本体１を激しい運動や激しい作業中に脱落しないように軽量化と細長くして耳にフィットするようにした。この分離型補聴器の耳かけ本体１に増幅器部分４（アンプ）を内蔵し各被制御装置別リンク形ダイヤル５を指先で回転切り替え出来る。
【手続補正９】
【補正対象書類名】明細書
【補正対象項目名】００２０
【補正方法】変更
【補正の内容】
【００２０】  各被制御装置別リンク形ダイヤル５は周波数出力を補正した出力制御装置ダイヤル・音質調整装置ダイヤル・騒音制御装置と誘導コイル切り替えダイヤル・音量調節ダイヤルにそれぞれの機能を持たせた。
それぞれのダイヤルの誤操作を少なく、調節し易いように多角形のものも考案した。
【手続補正１０】
【補正対象書類名】明細書
【補正対象項目名】００２１
【補正方法】変更
【補正の内容】
【００２１】  更に、補聴器を付けた使用者が発生音源の方向が判るように前マイクロホン２と後マイクロホン３を設けた。
【手続補正１１】
【補正対象書類名】明細書
【補正対象項目名】００２２
【補正方法】変更
【補正の内容】
【００２２】  分離型補聴器の耳穴本体６に、電源スイッチ７および空気電池８・イヤホン９（スピーカ）・イヤチップ１０を外側から順に設けた。以上のように、実施形態にすればマイクロホンとスピーカとの共鳴が起こりにくい。分離型補聴器の耳掛け本体を軽量にして細長く耳にフィットすることで、激しい運動や労働に耐える。更にイヤホンのイヤチップを使用者の耳穴サイズに合わせて使用するとはずれない効果が得られるものである。
【手続補正１２】
【補正対象書類名】明細書
【補正対象項目名】００２３
【補正方法】変更
【補正の内容】
【００２３】  １  分離型補聴器の耳かけ本体
２  前マイクロホン
３  後マイクロホン
４  増幅器部分（アンプ）
５  各被制御装置別リンク形ダイヤル
６  分離型補聴器の耳穴本体
７  電源スイッチ
８  空気電池
９  イヤホン（スピーカ）
１０イヤチップ